(57)【要約】【課題】  多素子指向性アンテナを四本纏めて簡単に仰角設定可能にし、仰角設定部分を分散させることで、外力に強いアンテナの仰角設定取付け装置を得ること。【解決手段】  ほぼ鉛直の支柱１の上部外周面に取着した枢着板２に上スティ３を横向きに取着し、その両側に下向きに備えた左右の縦スティ４の上下各部に四本のアンテナＡを一本ずつ突設する一方、前記支柱１の中間外周面に取着したスライド板５に左右の屈曲部６Ａを有する下スティ６を横向きに取着してその左右両側を各縦スティ４に取着し、前記各取着部の仮固定状態で、前記各縦スティ４を四本のアンテナＡと共に上スティ中央取着部３Ａを支点とし、高所の電波発射源に向けて回動させることで、各アンテナＡを四本纏めて仰角設定した後、前記仮固定状態の各取着部を固定することで、各アンテナの前記設定済仰角を四本纏めて固定可能となした。【選択図】図１
2005252431.tif 000002
【特許請求の範囲】
【請求項１】
ほぼ鉛直の支柱にＵＨＦまたはＶＨＦ帯域の多素子指向性アンテナを四本纏めて高所の電波発射源に向け仰角設定して取付けるに当たり、前記電波発射源の反対側における支柱の上部外周面に水平回動調節後固定可能に取着した枢着板に上スティをその中央取着部で軸線中心に回動後固定可能に横向きに取着し、この上スティの左右両側に下向きに備えた左右の縦スティの上下各部にそれぞれ前記各アンテナを同方向に向けて一本ずつ突設する一方、前記電波発射源側における支柱の中間部外周面にスライド板を上下スライドおよび回動調節後固定可能に取着し、このスライド板に下スティの中央部を横向きに取着すると共に、この下スティの左右両側をそれぞれ前記各縦スティに対して上下スライド後固定可能に取着することで、四本の多素子指向性アンテナの支柱取付け装置を構成し、前記各取着部を緩めた各取着部の仮固定状態で、下スティを上昇回動させながら左右の各縦スティを前記上スティの中央取着部を支点とし、四本のアンテナと共に高所の電波発射源に向けて回動させることで、各アンテナを四本纏めて電波発射源に向けて仰角設定した後、前記仮固定状態の各取着部をそれぞれ強固に固定することで、これら各アンテナの前記設定済仰角を四本纏めて固定可能となした多素子指向性アンテナの仰角設定取付け装置。
【請求項２】
前記下スティに左右対称の屈曲部を形成すると共に、これら各屈曲部を電波発射源に向けて下スティをその中央部でスライド板に横向きに取着することで、各屈曲部による下スティ両側の電波発射源に向かう張り出し寸法分だけ各アンテナの仰角を大きく設定可能にした請求項１に記載の多素子指向性アンテナの仰角設定取付け装置。
【請求項３】
前記各スティ類の取着部にＵ字ボルトと締付けナットとを用いた請求項１または請求項２に記載の多素子指向性アンテナの仰角設定取付け装置。
【請求項４】
前記上下各スティを強靱な丸パイプ材で作り、その中央部付近の外周面にその周方向に延びるリング溝を形成し、この溝内に係入定位したＵ字ボルトに枢着板やスライド板を締付けナットで取着することで、この取着部の位置決め案内と取着位置ずれの防止とを可能にすると共に、締付けナットを緩めた取着部の前記仮固定状態を安定に維持可能となした請求項３に記載の多素子指向性アンテナの仰角設定取付け装置。
【請求項５】
前記上スティの左右両側に縦スティをＬ型取着具で連結して備えた請求項１から請求項４までに記載の多素子指向性アンテナの仰角設定取付け装置。
【発明の詳細な説明】
【技術分野】
【０００１】
本発明は、ＵＨＦまたはＶＨＦ帯域の多素子指向性アンテナを四本纏めて地上波デジタルテレビ放送アンテナなど高所の電波発射源に精確に向け仰角設定して設置する際に好適な多素子指向性アンテナの仰角設定取付け装置に関する。
【背景技術】
【０００２】
通信用アンテナの仰角を設定して支柱やベランダに取付ける装置としては従来、下記の特許文献１・特許文献２および特許文献３に記載のものがそれぞれ周知であるが、これらの従来例は、いずれも放送衛星や通信衛星からの到来電波を受信するためのパラボラアンテナを仰角設定して支柱やベランダに取付けるためのアンテナ取付け装置である。
【特許文献１】特開平７−２２６６２１号公報
【特許文献２】特開２００１−２９８３１０号公報
【特許文献３】特開２００３−４６３１０号公報
【発明の開示】
【発明が解決しようとする課題】
【０００３】
上記従来例は、パラボラアンテナの仰角設定取付け装置であり、複数のアンテナ取付け具における板面同士の接面部分を角度変更可能にねじ止めしてパラボラアンテナの受信面を上記放送衛星や通信衛星に向くように仰角設定するものであり、具体的には上記各アンテナ取付け装置の板面同士を接面し、一方の板面に形成した長孔の縁辺を他方の板面にねじ止めすることで、パラボラアンテナの仰角を固定するものだから、この仰角固定部分の強度が接面方向の外力に対し弱く動き易い上に、アンテナ仰角設定部分が取付け装置の板面に局所集中しているため、テコの原理に基づき長尺物支持に対して弱く、水平・垂直スタック接続して用いるＵＨＦ帯域やＶＨＦ帯域の多素子指向性アンテナを四本纏めて仰角設定し支柱に取付けるアンテナ取付け装置としては強度不足のため採用できない。
【０００４】
すなわち、地上波テレビ放送電波の影となる地域には、現在、山上サテライト局の中継アンテナから周波数変換したり、発射電波の偏波面を変えたりしてＵＨＦ帯域やＶＨＦ帯域の中継電波を発射することで、水平・垂直スタック接続したＵＨＦ帯域やＶＨＦ帯域の受信アンテナで可及的に良質な受信状態を得ているが、地上波テレビ放送電波の影となる地域は一般に豪雪地帯が多く、冬場になると上記各多素子指向性アンテナへの着雪量も多くなり、ＵＨＦまたはＶＨＦ帯域の多素子指向性アンテナ四本全体の荷重としては、２０キログラム以上の大重量となる場合も有るし、これら四本の多素子指向性アンテナは、季節を通して強風時には一つのパラボラアンテナよりも揺動し易い。
【０００５】
したがって、上記四本の多素子指向性アンテナを前記従来例のものに無理に搭載した場合、上記大きなアンテナ荷重や強風で揺動する四本のアンテナからの無理な外力が、それぞれ従来取付け装置の板面や局部集中したアンテナ仰角固定部分に、テコの原理により継続的に繰り返し強く加わるため、上記板面が繰り返し撓んだり、上記アンテナ仰角固定接面ねじ止め部分が互いにずれ動いたりして受信状態が極めて不安定となると共に、上記帯域の各指向性アンテナの仰角やアンテナ水平向きが大きく変化して受信障害が生じたり、時には、上記各アンテナの仰角固定部分や取付け金具全体が破損してＵＨＦ帯域やＶＨＦ帯域の各多素子指向性アンテナが倒れてしまい、使い物にならなくなるという本質的かつ、大きな問題点が有る。
【０００６】
これら従来例のほかに、水平・垂直スタック接続した四本のＵＨＦまたはＶＨＦ帯域の多素子指向性アンテナを支柱に対し、同方向に向けて水平に個別突設したり、上記各多素子指向性アンテナを試行錯誤的に一本ずつ個別に高所の電波発射源に向け仰角設定して支柱に取付けて使用した試しも有るが、この場合には、四本の多素子指向性アンテナの上記仰角設定作業を高所で一本ずつ個別に実行しなければならず、各アンテナ仰角の設定作業が著しく煩雑かつ、面倒で危険な作業である。
【０００７】
このため、一般的には、水平偏波受信用のＵＨＦまたはＶＨＦ帯域の多素子指向性アンテナの垂直指向性が水平指向性よりも大幅にブロードであると言う考え方から、上記多素子指向性アンテナをほぼ水平に固定したまま使用していたので、これら各多素子指向性アンテナを山上に設置したサテライト中継局の送信アンテナなど高所の電波発射源に精確に向けて設置できないという、これまた本質的かつ、大きな問題点が有る。
したがって、前記したすべての従来例では、我国で放送し始めた双方向通信も可能な地上波デジタルテレビ放送などの高所から到来するＵＨＦまたはＶＨＦ帯域の放送電波を扱うための多素子指向性アンテナの仰角設定取付け装置としては全く対処できないという本質的かつ、大きな問題点が有る。
【０００８】
この発明は、高所から到来する地上波デジタルテレビ放送電波などのＵＨＦ帯域やＶＨＦ帯域の到来電波を少しでも良く受信するために、水平・垂直スタック接続した多素子指向性アンテナを四本纏めて上記電波の発射源に向け簡単に仰角設定可能にし、この仰角設定部分を分散させることで、外力に強い多素子指向性アンテナの仰角設定取付け装置を得ることを目的とする。
【課題を解決するための手段】
【０００９】
上記した本発明の目的は、ほぼ鉛直の支柱にＵＨＦまたはＶＨＦ帯域の多素子指向性アンテナを四本纏めて高所の電波発射源に向け仰角設定して取付けるに当たり、前記電波発射源の反対側における支柱の上部外周面に水平回動調節後固定可能に取着した枢着板に上スティをその中央取着部で軸線中心に回動後固定可能に横向きに取着し、この上スティの左右両側に下向きに備えた左右の縦スティの上下各部にそれぞれ前記アンテナを同方向に向けて一本ずつ突設する一方、前記電波発射源側における支柱の中間部外周面にスライド板を上下スライドおよび回動調節後固定可能に取着し、このスライド板に下スティの中央部を横向きに取着すると共に、この下スティの左右両側をそれぞれ前記各縦スティに対して上下スライド後固定可能に取着することで、四本の多素子指向性アンテナの支柱取付け装置を構成し、前記各取着部を緩めた各取着部の仮固定状態で、下スティを上昇回動させながら左右の各縦スティを前記上スティの中央取着部を支点とし、四本のアンテナと共に高所の電波発射源に向けて回動させることで、各アンテナを四本纏めて電波発射源に向けて仰角設定した後、前記仮固定状態の各取着部をそれぞれ強固に固定することで、これら各アンテナの前記設定済仰角を四本纏めて固定可能となしたことで達成できた。
【発明の効果】
【００１０】
本発明は、以上のような手段を採用したので、以下に記載の効果を奏する。
この発明における請求項１の発明によれば、前記各取着部を緩めた各取着部の仮固定状態で、左右の縦スティを下スティ・上スティと共にスライド板・枢着板を介し支柱を支点として回動させることで、前記各アンテナを前記電波発射源の下方に向けた後、または向ける前に、下スティをスライド板と共に支柱の軸線方向に沿わせ上向きにスライドさせると、下スティの両側周面が左右の縦スティ中間部を電波発射源方向に押し傾けながら上昇するので、各縦スティが上スティを支点として四本のアンテナと共に電波発射源に向けて斜め上向きに回動し、各アンテナを四本纏めて電波発射源に向け一挙に仰角設定でき、その後、前記仮固定状態の各取着部を固定することで、各アンテナの設定済仰角を四本纏めて一挙に固定できるという優れた効果が有るほかに、この仰角固定状態は、主として四本の多素子指向性アンテナに加わる大きな荷重やテコ応力にも強くなるよう互いに大きく分散配置した前記各取着部分で極めて安定に長期間維持できたという優れた効果も有る。
【００１１】
この発明における請求項２の発明によれば、前記下スティに左右対称の屈曲部を形成すると共に、これら各屈曲部を前記電波発射源に向けてこの下スティをその中央部でスライド板に横向きに取着したので、上記屈曲部による下スティ両側の電波発射源に向かう張り出し寸法分だけ各アンテナの仰角をさらに大きく設定できるという効果を付加できた。
【００１２】
この発明における請求項３の発明のように、前記支柱に対する枢着板・スライド板の取着部や上下各スティの取着部にＵ字ボルトと締付けナットとを用いれば、締付けナットを僅かに緩めるだけで、上記各取着部が簡単に仮固定状態となり、前記左右の補強用縦スティを前記四本のアンテナと共に高所の電波発射源に向け仰角設定し易くなったし、この仰角設定後、緩めた締付けナットを締着するだけで、前記多素子指向性アンテナの設定済仰角を四本纏めて、簡単かつ、強固に固定できるという効果を付加できた。
【００１３】
この発明における請求項４の発明によれば、前記上下各スティを強靱な丸パイプ材で作り、その中央部付近の外周面に周方向に延びるリング溝を形成し、この溝内に係入定位したＵ字ボルトに枢着板やスライド板を締付けナットで取着したので、これら各取着部が一層強固になると共に、各取着部の位置決め案内と取着位置ずれの防止とが可能となり、前記アンテナ仰角設定作業中における締付けナットを緩めた前記各取着部の仮固定状態も安定に維持できるので、前記四本のアンテナを高所の電波発射源に向け安全かつ簡単に仰角設定できるという効果を付加でき、さらに、この発明における請求項５の発明のように、前記上スティの左右両側に縦スティをＬ型パイプ継ぎ手で連結して備えることで、各スティ類を全部細長く構成でき、その部品管理・製造・梱包保管・運搬流通・販売購入・開梱使用などのすべての面で扱い易くなったという効果を付加できた。
【発明を実施するための最良の形態】
【００１４】
本発明を実施するための最良の形態例としては、図１・図２のようにビルの屋上などにほぼ鉛直に立設した支柱１にＵＨＦまたはＶＨＦ帯域の多素子指向性アンテナＡを四本纏めて山上サテライト局など高所の電波発射源に向け仰角設定して取付けるに当たり、前記電波発射源の反対側における支柱１の上部外周面に強靱な枢着板２を上記各図のように上下二本のＵ字ボルトＵと締付けナットＮとで水平方向に回動調節後固定可能に取着し、この枢着板２に強靱な丸パイプ製の上スティ３をその中央取着部３Ａで軸線中心に回動後固定可能に上記各図のように左右二本のＵ字ボルトＵと締付けナットＮとで横向きに取着すると共に、この上スティ３の左右両側にそれぞれ強靱な丸パイプ製の縦スティ４を通常Ｌボウと称するＬ型パイプ継ぎ手Ｌで上記各図のように下向きに備え、この左右の縦スティ４の上下にそれぞれＵＨＦ帯域の各アンテナＡ（またはＶＨＦ帯域の多素子指向性アンテナＡ）をその基部でＵ字ボルトＵと締付け蝶ナットＮとで周知の取付け座Ｍを介し上記各図のように水平同方向に向けて一本ずつ大きく分散して取付ける。
【００１５】
次いで、前記電波発射源側における支柱１の中間部外周面に強靱なスライド板５を上下二本のＵ字ボルトＵと締付けナットＮとで図１・図２のように上下スライドおよび回動調節後固定可能に取着し、このスライド板５に左右対称の屈曲部６Ａを電波発射源側に向けた下スティ６の中央部６Ｂを左右二本のＵ字ボルトＵと締付けナットＮとで上記各図のように横向きに取着すると共に、この下スティ６の両側をそれぞれ前記各縦スティ４に対してＵ字ボルトＵと締付けナットＮとでスライド後固定可能に上記各図のように取着することで、本発明による多素子指向性アンテナＡの支柱取付け装置を構成できた。
【００１６】
ただし、前記上スティ３の両側に縦スティ４を下向きに備えるには、前記Ｌ型パイプ継ぎ手Ｌの両端に開口する差し込み孔に上スティ３の両側と縦スティ４の上部とをカチ込み圧入固定したり、上記パイプ継ぎ手Ｌの両端に開口する雌ねじ孔や雄ねじ部分にそれぞれ上スティ３と縦スティ４のねじ部を強固に螺着することで、上スティ３の両側に縦スティ４を下向きに取着できるが、上スティ３を予め長く作っておき、その両側を図３のように下方に丸く折曲して上スティ３の両側に縦スティ４を下向きに一体形成してもよい。
【００１７】
本発明の構成は以上のようなもので、以下その使用例につき説明する。
先ず、前記各アンテナＡの取着部分を除き、前記各取着部分における各締付けナットＮをすべて僅かずつ緩めて各取着部を仮固定状態にした後、下スティ６をスライド板５と共に左右に回動しつつ図３の状態から図２のように上向きにスライドさせるに従って、このスライド寸法に応じて左右の各縦スティ４を上スティの中央取着部を支点とし、前記各アンテナＡと共に高所の電波発射源に向かう上向き傾斜角で縦横斜めに回動できる。
【００１８】
つまり、左右の縦スティ４を下スティ６・上スティ３と共にスライド板５・枢着板２を介し支柱１を支点として回動させ、前記各アンテナＡを前記電波発射源の下方に向けて枢着板２の締付けナットＮを締着した後、下スティ６をスライド板５と共に支柱１に沿わせて図３の下位置から図１・図２のような上位置にスライドさせるに伴い、下スティ６の両側周面が左右の縦スティ４の中間部を電波発射源方向に押し傾けながら上昇するので、これら各縦スティ４を四本のアンテナＡと共に上スティ３を支点として上記各図のように電波発射源に向け上向きに回動させることができ、各アンテナを四本纏めて電波発射源に向け一挙に仰角設定できる。
【００１９】
前述した仰角設定手順としては、先ず、前述したような仰角設定途中の四本のアンテナＡで受信したＵＨＦまたはＶＨＦ帯域の水平偏波の到来電波を同軸ケーブル（周知のものでよいから図示せず）を経て周知の水平・垂直スタック混合接続手段を介し周知のテレビジョン受像機に入力し、その画面の映り具合が最良になるように確認したり、周知の電界強度計の指示が最大となるように確認しながら、各アンテナＡを四本纏めて前述したように高所の電波発射源に精確に向くように回動させることで、各アンテナＡの仰角と左右角とを四本纏めて上記各図のように精確に同時設定することができる。
【００２０】
次いで、上記テレビの映り具合を最良に保持したり電界強度計の最大値を確認しながら、各アンテナＡの設定済仰角を最良に保持した状態で、今度は、前記緩めた締付けナットＮを強固に締着することで、高所の電波発射源に精確に向けた四本の多素子指向性アンテナＡの設定済仰角を四本纏めて上記各図のように強固かつ、安定に固定でき、これら各アンテナＡでＵＨＦまたはＶＨＦ帯域の水平偏波の到来電波を前記のようにテレビ画面の映り具合が最良の状態で長期に亘り安定に受信し、視聴することができた。
なお、上記の仰角固定状態は、主として四本の多素子指向性アンテナに加わる大きな荷重やテコ応力にも強くなるよう上記各図のように互いに大きく分散配置した各取着部分で極めて安定に長期間維持できた。
【実施例】
【００２１】
枢着板２は、支柱１の上端に水平回動調節後固定可能に被せた強靱な蓋筒体（周知のものでよいから図示せず）に溶着などで強固に固定することで、支柱１の上部に枢着板２を上記蓋筒体と共に水平回動調節後固定できるように取着してもよく、さらに前記縦横各スティ類の取着部は、前述したようなＵ字ボルトＵや締付けナットＮを用いる代わりに、周知の締めねじ付き締着バンドで各スティ類を軸線中心に回動調節した後、上記締着バンドを強固に締着して取着したり、針金や強靱な締め付け紐で各スティ類をたすき掛けして仮固定し、各スティ類を軸線中心に回動調節した後、上記針金や締め付け紐を強固に締着して取着してもよい。
【００２２】
また、前記上下の各スティ３・４の中央部付近における外周面に周方向に延びる図４のような二本のリング溝７を平行形成し、この溝７内に上記図５のように係入定位したＵ字ボルトＵに前記枢着板２やスライド板５をを締付けナットＮで図４・図５のように取着することで、これら各取着部が一層強固になると共に、各取着部の位置決め案内と取着位置ずれの防止とが可能になり、かつ、締付けナットＮを緩めた取着部の仮固定状態も安定に維持できる。
【００２３】
前記スライド板５に下スティ６の左右屈曲部６Ａを真上または真下に向けて取着すると共に、その両側に形成した予備孔にＵ字ボルトＵを通し換えして縦スティ４を締付けナットＮで取着換えしても使用できるが、この場合には、下スティ６の両側が前記電波発射源方向に張り出さない分だけ、前述した実施形態よりも小さい傾斜角可変範囲で左右の縦スティ４を斜め上向きに回動でき、また、下スティ６に単なる直線パイプを用いた場合は、上記屈曲部６Ａが下スティ６に無い分だけ小さい傾斜角可変範囲で左右の縦スティ４を斜め上向きに回動でき、さらに、前記下スティ屈曲部６Ａを前述した取着向きとは逆に図３のような電波発射源の反対側に向けた状態で、下スティ６の中央部６Ｂを前記スライド板５に上記図３のように横向き取着することで、さらに小さい仰角設定可変範囲で各アンテナＡの仰角を木目細かく設定することもできる。
【００２４】
前記支柱１の上部に取着した枢着板２の取着側にスライド板５を図４のように取着すると共に、前記下スティ屈曲部６Ａを図５ように電波発射源の反対側に向けて下スティ中央部６Ｂをスライド板５に横向き取着することで、前記各アンテナＡを四本纏めて上記各図のようなほぼ水平方向の電波発射源に向けても仰角設定することができる。
【産業上の利用可能性】
【００２５】
前述した各図示例では、ＵＨＦ帯域の水平偏波の到来電波受信用多素子指向性アンテナＡの仰角設定取付け装置を示したが、本発明に用いる前記各スティ類の長さや直径を一回り大きくすることで、本発明は、ＶＨＦ帯域の多素子指向性アンテナＡの仰角設定取付け装置としても当然に実施できる。
また、前記各図示例における各アンテナＡに周知の垂直偏波受信用多素子指向性アンテナＡを用いれば、ＵＨＦまたはＶＨＦ帯域の垂直偏波の到来電波を当然に受信できる。
【図面の簡単な説明】
【００２６】
【図１】本発明の実施形態の一例を示す後方斜視図
【図２】図１に示すものの前方斜視図
【図３】本発明の他の実施形態の一例を示す斜視図
【図４】本発明要部の一例を示す拡大斜視図
【図５】本発明の他の実施例を示す斜視図
【符号の説明】
【００２７】
Ａ…ＵＨＦまたはＶＨＦ帯域の多素子指向性アンテナ
１…支柱  ２…枢着板  ３…上スティ
３Ａ…上スティの左右屈曲部  ３Ｂ…上スティ中央取着部
４…縦スティ  ５…スライド板  ６…下スティ
７…上下各スティ外周面のリング溝
Ｕ…Ｕ字ボルト  Ｎ…締め付けナット
【図１】
2005252431.tif 000003
【図２】
2005252431.tif 000004
【図３】
2005252431.tif 000005
【図４】
2005252431.tif 000006
【図５】
2005252431.tif 000007